(57)【特許請求の範囲】
【請求項１】
垂直帰線消去期間（以下ＶＢＬと云う）に監視カメラのカメラ番号、該カメラの制御データなどの制御信号を重畳した制御信号付のカラー映像信号を入力し、前記カラー映像信号のＶＢＬに重畳された前記制御信号に換えて、ペデスタルレベルのマスク信号に置換えて出力する制御信号のマスク方法において、
入力された前記カラー映像信号をデイジタル画像信号に変換し、前記制御信号が重畳された水平期間の前記デイジタル画像信号よりバーストレベルを抽出するペデスタルレベル抽出手段と、前記カラー映像信号より垂直同期信号（以下ＶＤと云う）、水平同期信号（以下ＨＤと云う）、並びにカラーバースト信号（以下バーストと云う）に位相ロックしたサンプリングクロック信号（以下ＣＬＫと云う）などを分離生成する同期分離手段と、前記ペデスタルレベル抽出手段により抽出したバーストレベルに基づいて前記マスク信号を生成するマスク信号生成手段と、前記デイジタル画像信号に、前記デイジタル画像信号の制御信号部に換えて前記マスク信号を重畳するマスク信号重畳手段とで構成する制御信号マスク回路を用いて、
前記ペデスタルレベル抽出手段は、前記カラー映像信号をデイジタル画像信号に変換し、抽出信号発生手段からの抽出信号に基づいて、前記制御信号の重畳された水平期間のバーストレベルを抽出し、
前記マスク信号生成手段は、抽出された前記バーストレベルを、演算関数メモリに予め登録記憶された演算関数に基づいて、基準ペデスタルレベルを演算出力した後、該基準ペデスタルレベルのマスク信号を生成出力し、
前記マスク信号重畳手段は、前記デイジタル画像信号の制御信号部を前記マスク信号に切替重畳し、前記マスク信号が切替重畳されたデイジタル画像信号をアナログ映像信号に変換出力することを特徴とする制御信号マスク方法。
【請求項２】
ＶＢＬに監視カメラのカメラ番号、該カメラの制御データなどの制御信号を重畳した制御信号付のカラー映像信号を入力し、前記カラー映像信号のＶＢＬに重畳された前記制御信号に換えて、ペデスタルレベルのマスク信号に置換えて出力する制御信号のマスク方法において、
入力された前記カラー映像信号をデイジタル画像信号に変換し、前記制御信号が重畳された水平期間の前記デイジタル画像信号よりシフトレジスタ手段を用いてバーストレベルを抽出するペデスタルレベル抽出手段と、前記カラー映像信号よりＶＤ、ＨＤ、並びにバーストに位相ロックしたＣＬＫなどを分離生成する同期分離手段と、抽出された前記バーストレベルに基づいて、前記マスク信号を生成するマスク信号生成手段と、前記デイジタル画像信号に、前記デイジタル制御信号に換えて前記マスク信号を重畳するマスク信号重畳手段とで構成する制御信号マスク回路を用いて、
前記ペデスタルレベル抽出手段は、前記カラー映像信号をデイジタル画像信号に変換し、該デイジタル画像信号より前記シフトレジスタ手段を用いて、前記制御信号の重畳された水平期間のバーストレベルを抽出し、
前記マスク信号生成手段は、前記ペデスタルレベル抽出手段により抽出された前記バーストレベルを、抽出関数設定手段が設定した演算関数に基づいて、基準ペデスタルレベルを演算出力した後、該基準ペデスタルレベルのマスク信号を生成出力し、
前記マスク信号重畳手段は、前記デイジタル画像信号の制御信号部を前記マスク信号に切替重畳し、前記マスク信号が切替重畳されたデイジタル画像信号をアナログ映像信号に変換出力することを特徴とする制御信号マスク方法。
【請求項３】
ＶＢＬに監視カメラのカメラ番号、該カメラの制御データなどの制御信号を重畳した制御信号付のカラー映像信号を入力し、前記カラー映像信号のＶＢＬに重畳された前記制御信号に換えて、ペデスタルレベルのマスク信号に置換えて出力する制御信号のマスク回路において、
前記カラー映像信号よりＶＤ、ＨＤ、並びにバーストに位相ロックしたＣＬＫなどを分離生成する同期分離・ＰＬＬ部と、
入力された前記カラー映像信号をデイジタル画像信号に変換するＡ／Ｄ（Analog Digital converter）と、前記カラー映像信号よりバーストを抽出するバースト信号抽出部と、前記バーストレベル抽出の抽出関数を登録記憶している抽出関数メモリと、抽出した前記バースト、ＶＤ、ＨＤおよびＣＬＫより、前記抽出関数に基づいてバーストレベル抽出信号を発生する抽出信号発生手段と、前記デイジタル画像信号より、前記バーストレベル抽出信号を用いて、前記バーストレベルを抽出するペデスタル抽出部とを有するペデスタルレベル抽出手段と、
ＶＤ、ＨＤなどから前記マスク信号のタイミングを発生するマスクタイミング発生部と、前記バーストレベルの演算関数を登録記憶している演算関数メモリと、前記演算関数に基づいて、該バーストレベルを演算し基準ペデスタルレベルを演算出力した後、該基準ペデスタルレベルのマスク信号を生成する付加ペデスタル演算部とを有するマスク信号生成手段と、
前記デイジタル画像信号より制御信号部を削除し、前記マスク信号を置換重畳するマスク信号重畳部と、マスク信号が付加重畳されたデイジタル画像信号をアナログ映像信号に変換出力するＤ／Ａ（Digital Analog converter）とを有するマスク信号重畳手段とで構成することを特徴とする制御信号マスク回路。
【請求項４】
ＶＢＬに監視カメラのカメラ番号、該カメラの制御データなどの制御信号を重畳した制御信号付のカラー映像信号を入力し、前記カラー映像信号のＶＢＬに重畳された前記制御信号に換えて、ペデスタルレベルのマスク信号に置換えて出力する制御信号のマスク回路において、
前記カラー映像信号よりＶＤ、ＨＤ、並びにバーストに位相ロックしたＣＬＫなどを分離生成する同期分離・ＰＬＬ部と、
入力された前記カラー映像信号をデイジタル画像信号に変換するＡ／Ｄと、前記カラー映像信号よりバーストを抽出するバースト信号抽出部と、バースト信号期間のみＣＬＫを出力するＡＮＤゲートと、前記ＡＮＤゲートより出力されたＣＬＫをカウントする任意設定可能なＮ進カウンタと、前記デイジタル画像信号をＣＬＫでシフトし、バースト位相の０、９０、１８０、２７０度点のデイジタル画像信号を出力するシフトレジスタと、前記シフトレジスタ出力のデイジタル画像信号を前記Ｎ進カウンタの設定出力に基づいて、加算演算する加算演算部とを有するペデスタルレベル抽出手段と、
ＶＤ、ＨＤなどから前記マスク信号のタイミングを発生するマスクタイミング発生部と、前記加算演算部の出力デイジタル画像信号を所定の抽出関数を用いて基準ペデスタルレベルを除算演算した後、該基準ペデスタルレベルのマスク信号を生成する除算演算部と、前記Ｎ進カウンタおよび前記除算演算部などの抽出関数を設定する抽出関数設定部とを有するマスク信号生成手段と、
前記デイジタル画像信号より制御信号部を削除し、前記マスク信号を置換重畳するマスク信号重畳部と、マスク信号が付加重畳されたデイジタル画像信号をアナログ映像信号に変換出力するＤ／Ａとを有するマスク信号重畳手段とで構成することを特徴とする制御信号マスク回路。
【発明の詳細な説明】
【０００１】
【発明の属する技術分野】
本発明は、カメラ部などから入力され、垂直帰線消去期間にカメラ番号、制御データなどの制御信号を重畳した制御信号付のカラー映像信号より、重畳された制御信号に換えて、ペデスタルレベルのマスク信号に置換えて出力する制御信号のマスク方法および制御信号マスク回路に関わり、より詳細には、デイジタル変換されたバースト信号よりペデスタルレベルを抽出してマスク信号を生成するものである。
【０００２】
【従来の技術】
図５に示す従来の技術による制御信号マスク回路の要部ブロック図および図２に示す信号波形図を用いて、制御信号マスク回路の構成と動作を説明する。複数の監視用カメラ１はパンテイルトなどの駆動が出来るカメラ制御装置１ａの上に載置されている。これらのカメラは、監視事務所などに設置されているカメラ制御・切替装置２に接続されている。カメラ制御・切替装置２は、複数のカメラ信号を選択切替してモニタＭに出力すると共に、これらのカメラ１およびカメラ制御装置１ａの制御操作も行なっている。監視担当者は、カメラ操作部２ｃを用いて、旋回装置などのカメラ制御装置１ａ、カメラのズームレンズなどの操作を行なう。制御信号生成手段２ｄは制御信号を生成し制御信号重畳手段２ａに入力する。制御信号重畳手段２ａは、カメラ１からの映像信号の垂直帰線期間の所定のペデスタル位置に該コード信号形式の制御信号を重畳して、カメラ側に逆送すると共に制御信号が重畳された映像信号（図２（イ））をモニタＭに出力する。
カメラ１部では、重畳された制御信号を分離復調し、カメラ制御装置１ａの制御信号を得る。さらに、カメラ１は付設されたセンサ信号やカメラ画像より抽出された画像センサ信号などのセンサデータが別の水平期間のペデスタル位置に重畳される場合もある。
【０００３】
制御信号およびセンサデータなどの重畳信号が重畳された映像信号は、モニタＭや記録装置に送出される。しかしながら、重畳信号部に伝送回線試験信号や別のアナログデータなどを付加したい場合、制御信号マスク回路３もしくは制御信号マスク装置を回線に付加して、前述の重畳信号部を削除した後、マスク信号を付加する。具体的には、映像信号より同期分離部４でＶＤやＨＤを取り出し、疑似同期信号発生手段８で垂直帰線期間の同期信号を発生する。次いでマスク信号重畳手段７はマスク期間のペデスタル信号を該映像信号に重畳する。この疑似同期信号のペデスタルレベルは、回路定数により固定されたレベルであり、カメラからの映像信号のペデスタルレベルとは一致しない場合（図３（ニ））が多々発生する。又映像信号の平均階調レベルが変わると、ペデスタルレベルはしばしば直流的に変動する。このため、付加されたペデスタル信号は、図３（ホ）に示す如く信号レベルが、入力した映像信号のぺデスタルレベルと一致しないマスク信号となり、伝送回線試験信号やアナログデータを正しく付加することが出来ないと云う問題点が発生している。
【０００４】
【発明が解決しようとする課題】
以上に説明した問題点に鑑み、本発明は、デイジタル画像信号に変換されたバースト信号より、所定の期間のバーストレベルを抽出し、該バーストレベルで基準ペデスタルレベルを演算出力した後、マスク信号としてデイジタル画像信号に重畳する制御信号マスク方法および制御信号マスク回路の提案を目的とする。
【０００５】
【課題を解決するための手段】
ＶＢＬに監視カメラのカメラ番号、該カメラの制御データなどの制御信号を重畳した制御信号付のカラー映像信号を入力し、カラー映像信号のＶＢＬに重畳された制御信号に換えて、ペデスタルレベルのマスク信号に置換えて出力する制御信号のマスク方法において、
入力されたカラー映像信号をデイジタル画像信号に変換し、制御信号が重畳された水平期間のデイジタル画像信号よりバーストレベルを抽出するペデスタルレベル抽出手段と、カラー映像信号よりＶＤ、ＨＤ、並びにバーストに位相ロックしたＣＬＫなどを分離生成する同期分離手段と、ペデスタルレベル抽出手段により抽出したバーストレベルに基づいてマスク信号を生成するマスク信号生成手段と、デイジタル画像信号に、デイジタル画像信号の制御信号部に換えてマスク信号を重畳するマスク信号重畳手段とで構成する制御信号マスク回路を用いて、
ペデスタルレベル抽出手段は、カラー映像信号をデイジタル画像信号に変換し、抽出信号発生手段からの抽出信号に基づいて、制御信号の重畳された水平期間のバーストレベルを抽出し、
マスク信号生成手段は、抽出されたバーストレベルを、演算関数メモリに予め登録記憶された演算関数に基づいて、基準ペデスタルレベルを演算出力した後、該基準ペデスタルレベルのマスク信号を生成出力し、
マスク信号重畳手段は、デイジタル画像信号の制御信号部をマスク信号に切替重畳し、マスク信号が切替重畳されたデイジタル画像信号をアナログ映像信号に変換出力する。
【０００６】
抽出信号発生手段に、
バーストのゼロクロス点のバーストレベルを抽出する抽出信号を発生させる、
もしくは、バーストの検波手段を設け、全バースト期間のバーストレベルを抽出する抽出信号を発生させる。
【０００７】
マスク信号生成手段に、
特定ゼロクロス点のバーストレベルを基準ペデスタルレベルとする特定ゼロクロス点レベル演算関数を登録記憶する、
全ゼロクロス点のバーストレベルの平均値を基準ペデスタルレベルとする平均ゼロクロス点レベル演算関数を登録記憶する、
全バースト期間のバーストレベルの平均値を基準ペデスタルレベルとする平均バーストレベル演算関数を登録記憶する、
特定バースト期間のバーストレベルの平均値を基準ペデスタルレベルとする特定バーストレベル演算関数を登録記憶する、
ＶＢＬで最初の制御信号が重畳された水平期間のバーストレベルの平均値を、全制御信号重畳期間の基準ペデスタルレベルとする初回バーストレベル演算関数を登録記憶する、
もしくは、全バースト期間のバーストレベルの最大値と最小値より平均値求め基準ペデスタルレベルとする最大・最小バーストレベル演算関数を登録記憶する。
【０００８】
ＶＢＬに監視カメラのカメラ番号、該カメラの制御データなどの制御信号を重畳した制御信号付のカラー映像信号を入力し、カラー映像信号のＶＢＬに重畳された制御信号に換えて、ペデスタルレベルのマスク信号に置換えて出力する制御信号のマスク方法において、入力されたカラー映像信号をデイジタル画像信号に変換し、制御信号が重畳された水平期間の前記デイジタル画像信号よりシフトレジスタ手段を用いてバーストレベルを抽出するペデスタルレベル抽出手段と、カラー映像信号よりＶＤ、ＨＤ、並びにバーストに位相ロックしたＣＬＫなどを分離生成する同期分離手段と、抽出されたバーストレベルに基づいて、マスク信号を生成するマスク信号生成手段と、デイジタル画像信号に、デイジタル画像信号の制御信号部に換えてマスク信号を重畳するマスク信号重畳手段とで構成する制御信号マスク回路を用いて、ペデスタルレベル抽出手段は、カラー映像信号をデイジタル画像信号に変換し、該デイジタル画像信号よりシフトレジスタ手段を用いて、制御信号の重畳された水平期間のバーストレベルを抽出し、マスク信号生成手段は、ペデスタルレベル抽出手段により抽出されたバーストレベルを、抽出関数設定手段が設定した演算関数に基づいて、基準ペデスタルレベルを演算出力した後、該基準ペデスタルレベルのマスク信号を生成出力し、マスク信号重畳手段は、デイジタル画像信号の制御信号部をマスク信号に切替重畳し、マスク信号が切替重畳されたデイジタル画像信号をアナログ映像信号に変換出力する。
【０００９】
抽出関数設定手段が、
全バースト期間のバーストレベルの平均値を基準ペデスタルレベルとする平均バーストレベル演算関数を設定する、
全ゼロクロス点のバーストレベルの平均値を基準ペデスタルレベルとする全ゼロクロス点バーストレベル演算関数を設定する、
もしくは、バースト位相の９０度、および２７０度点のバーストレベルの平均値を基準ペデスタルレベルとするピークバーストレベル演算関数を設定する。
【００１０】
制御信号マスク回路を、
ＶＢＬに監視カメラのカメラ番号、該カメラの制御データなどの制御信号を重畳した制御信号付のカラー映像信号を入力し、カラー映像信号のＶＢＬに重畳された制御信号に換えて、ペデスタルレベルのマスク信号に置換えて出力する制御信号のマスク回路において、
カラー映像信号よりＶＤ、ＨＤ並びにバーストに位相ロックしたＣＬＫなどを分離生成する同期分離・ＰＬＬ部と、
入力された前記カラー映像信号をデイジタル画像信号に変換するＡ／Ｄと、カラー映像信号よりバーストを抽出するバースト信号抽出部と、バーストレベル抽出の抽出関数を登録記憶している抽出関数メモリと、抽出したバースト、ＶＤ、ＨＤおよびＣＬＫより、抽出関数に基づいてバーストレベル抽出信号を発生する抽出信号発生手段と、デイジタル画像信号より、バーストレベル抽出信号を用いて、バーストレベルを抽出するペデスタル抽出部とを有するペデスタルレベル抽出手段と、
ＶＤ、ＨＤなどからマスク信号のタイミングを発生するマスクタイミング発生部と、バーストレベルの演算関数を登録記憶している演算関数メモリと、演算関数に基づいて、該バーストレベルを演算し基準ペデスタルレベルを演算出力した後、該基準ペデスタルレベルのマスク信号を生成する付加ペデスタル演算部とを有するマスク信号生成手段と、
デイジタル画像信号より制御信号部を削除し、マスク信号を置換重畳するマスク信号重畳部と、マスク信号が付加重畳されたデイジタル画像信号をアナログ映像信号に変換出力するＤ／Ａとを有するマスク信号重畳手段とで構成する。
【００１１】
抽出信号発生手段を、
バースト信号抽出部が抽出したバーストより、該バーストのゼロクロス点パルスを検出するゼロクロス検出部と、抽出関数メモリに登録記憶されている抽出関数を用いて、ゼロクロス点パルス、ＶＤ、ＨＤなどよりバーストレベル抽出信号を生成する抜取パルス生成部とで構成する、
バースト信号抽出部が抽出したバーストを直線検波する検波部と、該直線検波された波形を所定のレベルでスライスしてバースト期間信号を形成する波形成形部と、抽出関数メモリに登録記憶されている抽出関数を用いて、バースト期間信号、ＶＤ、ＨＤなどよりバーストレベル抽出信号を生成する抜取パルス生成部とで構成する、
もしくは、バースト信号抽出部が抽出したバーストを矩形波パルスに成形した後、Ｎ進（Ｎ＝０，１，２・・）カウントスルＮ進カウンタと、Ｎ進カウンタのＮ進を設定するＮ進設定部とで構成する。
【００１２】
抽出関数メモリに、
バーストのゼロクロス点のデイジタル画像信号を抽出するゼロクロス点抽出関数を記憶登録する、
全バースト期間のデイジタル画像信号を抽出する全バースト抽出関数を記憶登録する、
特定のバースト期間のデイジタル画像信号を抽出する特定バースト抽出関数を記憶登録する、
バースト振幅の安定期間のみのデイジタル画像信号を抽出する安定期間バースト抽出関数を記憶登録する、
もしくは、ＶＢＬで最初の制御信号が重畳された水平期間のみのデイジタル画像信号を抽出する初回水平期間バースト抽出関数を記憶登録する。
【００１３】
制御信号マスク回路を、
ＶＢＬに監視カメラのカメラ番号、該カメラの制御データなどの制御信号を重畳した制御信号付のカラー映像信号を入力し、カラー映像信号のＶＢＬに重畳された制御信号に換えて、ペデスタルレベルのマスク信号に置換えて出力する制御信号のマスク回路において、
カラー映像信号よりＶＤ、ＨＤ、並びにバーストに位相ロックしたＣＬＫなどを分離生成する同期分離・ＰＬＬ部と、
入力された前記カラー映像信号をデイジタル画像信号に変換するＡ／Ｄと、カラー映像信号よりバーストを抽出するバースト信号抽出部と、バースト信号期間のみＣＬＫを出力するＡＮＤゲートと、ＡＮＤゲートより出力されたＣＬＫをカウントする任意設定可能なＮ進カウンタと、デイジタル画像信号をＣＬＫでシフトし、バースト位相の０、９０、１８０、２７０度点のデイジタル画像信号を出力するシフトレジスタと、シフトレジスタ出力のデイジタル画像信号をＮ進カウンタの設定出力に基づいて、加算演算する加算演算部とを有するペデスタルレベル抽出手段と、
ＶＤ、ＨＤなどから前記マスク信号のタイミングを発生するマスクタイミング発生部と、加算演算部の出力デイジタル画像信号を所定の抽出関数を用いて基準ペデスタルレベルを除算演算した後、該基準ペデスタルレベルのマスク信号を生成する除算演算部と、Ｎ進カウンタおよび前記除算演算部などの抽出関数を設定する抽出関数設定部とを有するマスク信号生成手段と、
デイジタル画像信号より制御信号部を削除し、マスク信号を置換重畳するマスク信号重畳部と、マスク信号が付加重畳されたデイジタル画像信号をアナログ映像信号に変換出力するＤ／Ａとを有するマスク信号重畳手段とで構成する。
【００１４】
抽出関数設定部が、
Ｎを全バースト期間のバーストレベルの平均値を基準ペデスタルレベルとする平均バーストレベル抽出関数を設定する、
Ｎをゼロクロス点のバーストトレベルの平均値を基準ペデスタルレベルとするゼロクロス点バーストレベル抽出関数を設定する、
もしくは、Ｎをバースト位相の９０度、および２７０度点のバーストレベルの平均値を基準ペデスタルレベルとするピークバーストレベル抽出関数を設定する。
【００１５】
【発明の実施の形態】
図１は、本発明による制御信号マスク方法に用いる監視システムの概略構成図である。図２は、本発明による制御信号マスク回路の第１の実施例の要部ブロック図である。図３は、本発明による制御信号マスク回路の動作説明用の信号波形図である。図４は、本発明による制御信号マスク回路の第２の実施例の要部ブロック図である。
図１および図３を用いて本発明の背景と目的を概説する。図２（イ）は、カメラ切替部２ｂからの入力映像信号で、特にＶＢＬ（垂直帰線期間）の拡大図である。カメラ部の制御信号は、ＶＤ（垂直同期信号）および等価パルスの終了時点より１Ｈ（水平）期間先に重畳されている、重畳期間は１〜８Ｈ期間でシステムにより異なる。（ロ）は、重畳制御信号を取除きペデスタルレベルのマスク信号を付加した波形で、本発明の目標とする出力波形である。
前述の従来技術では、同期分離部（図５（４））で入力映像信号よりＶＤ、ＨＤなどの同期信号を分離し、これを基に疑似同期信号発生手段（図５（８））で置換用の疑似同期信号を発生した後、該信号のマスク期間を切取りマスク信号（ハ）とする。疑似同期信号のレベルは、回路定数で決まる一定値となる。
カメラ切替装置２からの映像信号は、カメラ毎のばらつき、伝送線路での歪、撮像画像の平均輝度の違いなどの要因により、一定レベルが保たれない。高いレベルの入力があった場合、疑似同期信号は相対的にレベル不足（ニ）となり、結果として（ホ）に示すようにマスク期間のペデスタルレベルが同期信号レベルに下がることを意味する。
【００１６】
この現象を解消するため、本発明では、カラーバースト（以下バーストと云う）部に着目し、バーストの動作点のレベル（以下バーストレベルと云う）より基準ペデスタルレベルを抽出する。該基準ペデスタルレベルに基づいてマスク信号を生成する。
【００１７】
本発明による制御信号マスク回路３は、カメラ切替部２ｂより入力されたカラー映像信号をデイジタル画像信号に変換し、制御信号が重畳された水平期間のデイジタル画像信号よりバーストレベルを抽出するペデスタルレベル抽出手段５、カラー映像信号よりＶＤ、ＨＤ、並びにバーストに位相ロックしたＣＬＫなどを分離生成する同期分離手段４、ペデスタルレベル抽出手段５により抽出したバーストレベルに基づいてマスク信号を生成するマスク信号生成手段６、デイジタル画像信号に、デイジタル制御信号に換えてマスク信号を重畳するマスク信号重畳手段７などで概略構成されている。
【００１８】
図２（イ）を用いて本発明による制御信号マスク回路の詳細構成を説明する。第一の実施例の制御信号マスク回路は、カラー映像信号よりＶＤ、ＨＤ並びにバーストに位相ロックしたＣＬＫなどを分離生成する同期分離・ＰＬＬ部４と、
入力されたカラー映像信号をデイジタル画像信号に変換するＡ／Ｄ５ａ、カラー映像信号よりバーストを抽出するバースト信号抽出部５ｄ、バーストレベル抽出の抽出関数を登録記憶している抽出関数メモリ５ｆ、抽出したバースト、ＶＤ、ＨＤおよびＣＬＫより、抽出関数に基づいてバーストレベル抽出信号を発生する抽出信号発生手段５ｅ、デイジタル画像信号より、バーストレベル抽出信号を用いて、バーストレベルを抽出するペデスタル抽出部５ｂなどを有するペデスタルレベル抽出手段５と、
ＶＤ、ＨＤなどからマスク信号のタイミングを発生するマスクタイミング発生部６ｃ、バーストレベルの演算関数を登録記憶している演算関数メモリ６ｂ、演算関数に基づいて、該バーストレベルを演算し基準ペデスタルレベルを演算出力した後、該基準ペデスタルレベルのマスク信号を生成する付加ペデスタル演算部６ａなどを有するマスク信号生成手段６と、
デイジタル画像信号より制御信号部を削除し、マスク信号を置換重畳するマスク信号重畳部７ａと、マスク信号が付加重畳されたデイジタル画像信号をアナログ映像信号に変換出力するＤ／Ａ７ｂなどを有するマスク信号重畳手段７とで標準構成されている。
【００１９】
さらに、前述の抽出信号発生手段５ｅは、三種類が提案され、第一と第二の実施例は（ロ）に、第三の実施例は（ハ）に示される。
第一の実施例の抽出信号発生手段５ｅは、バースト信号抽出部５ｄが抽出したバーストより、該バーストのゼロクロス点パルスを検出するゼロクロス検出部５ｅ1 、抽出関数メモリ５ｆに登録記憶されている抽出関数を用いて、ゼロクロス点パルス、ＶＤ、ＨＤなどよりバーストレベル抽出信号を生成する抜取パルス生成部５ｅ4 などで構成され、
第二の実施例の抽出信号発生手段５ｅは、バースト信号抽出部５ｄが抽出したバーストを直線検波する検波部５ｅ2 、該直線検波された波形を所定のレベルでスライスしてバースト期間信号を形成する波形成形部５ｅ3 、抽出関数メモリ５ｆに登録記憶されている抽出関数を用いて、バースト期間信号、ＶＤ、ＨＤなどよりバーストレベル抽出信号を生成する抜取パルス生成部５ｅ4 などで構成されている。
【００２０】
第三の実施例の抽出信号発生手段５ｅは、バースト信号抽出部５ｄが抽出したバーストを矩形波パルスに成形した後、Ｎ進（Ｎ＝０，１，２・・）カウントスルＮ進カウンタ５ｅ5 、Ｎ進カウンタ５ｅ5 のＮ進を設定するＮ進設定部５ｅ6 などで構成されている。
【００２１】
入力映像信号の処理の流れに沿って、回路動作とマスク信号の生成方法を説明する。同期分離＆ＰＬＬ部４は、入力映像信号よりＶＤ、ＨＤ、カラーバースト信号などを分離すると共に、ＰＬＬ回路によりカラーバースト信号に位相ロックした４ｆsc (色搬送波周波数の４倍) のＣＬＫ（サンプリングクロック信号）を生成する。バーストとＣＬＫの関係を図３（ト）および（チ）に示す。入力映像信号は、４ｆscのＣＬＫで作動するＡ／Ｄ５ａでデイジタル画像信号に変換される。このデイジタル画像信号の一方はペデスタルレベル抽出部５ｂに、他方はマスク信号重畳部７ａに入力される。デイジタル画像信号のピクセル毎の画像データは、ＣＬＫの立ち上がり時点の映像信号レベルであることを意味する。図３（ル）は、バースト部の画像データをアナログ表示したものである。Ｔ０は、本来ゼロクロス点（位相０°）であるが、バーストの立ち上り部で若干バーストが乱れているため、ペデスタルレベルより高いレベルにサンプリングホールドされている。Ｔ９０（位相９０°）はバーストのプラスピークレベル、Ｔ１８０（位相１８０°）はバーストのゼロクロスレベル、Ｔ１８０（位相２７０°）はバーストのマイナスピークレベルを表している。Ｔ３６０で位相０°に戻り、バーストのゼロクロスレベルを表す。
【００２２】
ペデスタルレベル抽出部５ｂは、抽出信号発生手段５ｅからの抽出信号に基づいて、バースト部の画像データを抽出し、付加ペデスタル演算部６ａに入力する。
バーストレベルの第一の抽出方法は、ゼロクロス検出部５ｅ1 からのゼロクロスパルスに基づいて、バーストのゼロクロスレベルのみを抽出する方法。第二は、波形成形部５ｅ3 からのバースト検波パルスに基づいて全バースト期間の全てのバーストレベルを抽出する方法である。
抽出信号発生手段５ｅが選択する抽出方法は、抽出関数として抽出関数メモリ５ｆに予め登録記憶されている。前述の方法以外に、バーストの固定期間、バースト振幅安定期間、初回の制御信号重畳の水平同期期間のみなどの抽出方法が選択登録可能である。
【００２３】
付加ペデスタル演算部６ａは、ペデスタルレベル抽出部５ｂからのバースト部の画像データを、演算関数メモリ６ｂに登録記憶されている演算関数を用いて、基準ペデスタルレベルを演算出力し、該基準ペデスタルレベルを制御信号期間持続したペデスタルデータ（図３（ヘ））を生成する。このペデスタルレベルデータは、マスク信号重畳部７ａで制御信号期間のみ、Ａ／Ｄ５ａより来た画像信号データと入換重畳される。
【００２４】
演算関数メモリ６ｂに登録記憶されている演算関数は、特定ゼロクロス点のバーストレベルを基準ペデスタルレベルとする特定ゼロクロス点レベル演算関数、全ゼロクロス点のバーストレベルの平均値を基準ペデスタルレベルとする平均ゼロクロス点レベル演算関数、全バースト期間のバーストレベルの平均値を基準ペデスタルレベルとする平均バーストレベル演算関数、特定バースト期間のバーストレベルの平均値を基準ペデスタルレベルとする特定バーストレベル演算関数、ＶＢＬで最初の制御信号が重畳された水平期間のバーストレベルの平均値を全制御信号重畳期間の基準ペデスタルレベルとする初回バーストレベル演算関数、全バースト期間のバーストレベルの最大値と最小値より平均値求め基準ペデスタルレベルとする最大・最小バーストレベル演算関数などの選択可能である。
【００２５】
図４を用いて、第二の実施例の制御信号マスク回路を、第一の実施例と異なる部分を主に説明する。
第二の実施例の制御信号マスク回路は、入力された前記カラー映像信号をデイジタル画像信号に変換するＡ／Ｄ５ａ、カラー映像信号よりバーストを抽出するバースト信号抽出部５ｄ、バースト信号期間のみＣＬＫを出力するＡＮＤゲート５ｄ1 、ＡＮＤゲート５ｄ1 より出力されたＣＬＫをカウントする任意設定可能なＮ進カウンタ５ｉ、デイジタル画像信号をＣＬＫでシフトし、バースト位相の０、９０、１８０、２７０度点のデイジタル画像信号を出力するシフトレジスタ５ｇ、シフトレジスタ出力のデイジタル画像信号をＮ進カウンタ５ｉの設定出力に基づいて、加算演算する加算演算部５ｈなどを有するペデスタルレベル抽出手段５と、
ＶＤ、ＨＤなどから前記マスク信号のタイミングを発生するマスクタイミングを発生部６ｃ、加算演算部の出力デイジタル画像信号を所定の抽出関数を用いて基準ペデスタルレベルを除算演算した後、該基準ペデスタルレベルのマスク信号を生成する除算演算部６ｄ、Ｎ進カウンタ５ｉおよび前記除算演算部６ｄなどの抽出関数を設定する抽出関数設定部６ｅなどとを有するマスク信号生成手段６などが別途構成されている。
【００２６】
第二の実施例での抽出方法は、Ａ／Ｄ５ａより変換出力されたデイジタル画像信号の画像データを、４ｆscのＣＬＫで転送されるシフトレジスタ５ｇに入力する。該シフトレジスタ５ｇは、ＣＬＫ単位での出力端子（２７０、１８０、９０、０）を備えており、バースト位相で０、９０、１８０、および２７０度のタイミングのバーストレベルが抽出される。
【００２７】
ＡＮＤゲート５ｄ1 は、バースト期間とＣＬＫの論理積を行い、バースト開始から終了時点のみのバーストＣＬＫを出力する。該バーストＣＬＫは、任意のＮ進数の設定が可能なＮ進カウンタ５ｉでカウント出力される。
加算演算部５ｈは、Ｎ進カウンタ５ｉのカウント設定により、シフトレジスタ５ｇよりのバースト位相で０、９０、１８０、および２７０度のバーストレベルを指定された選択で加算演算を行ない、加算バーストレベルを出力する。
除算演算部６ｄは、抽出演算設定部６ｅの設定に基づき、該加算バーストレベルを除算演算して、基準ペデスタルレベルを演算出力する。つまり、前述の加算演算部５ｈで何個のバーストレベルが加算されたかにより、除数を設定し平均値演算を行なうものである。以下マスク信号の生成方法は、実施例１と共通であり説明を省略する。
【００２８】
抽出演算設定部６ｅに設定可能な抽出関数は、Ｎ＝０（全バースト期間のバーストレベルの平均値を基準ペデスタルレベルとする）の平均バーストレベル抽出関数、Ｎ＝１（ゼロクロス点のバーストトレベルの平均値を基準ペデスタルレベルとする）のゼロクロス点バーストレベル抽出関数、Ｎ＝２（バースト位相の９０度、および２７０度点のバーストレベルの平均値を基準ペデスタルレベルとする）のピークバーストレベル抽出関数などがある。
【００２９】
以上に説明した第１および第２の実施例の他に具体的な回路構成は多数考えられるが省略する。但し、デイジタル画像信号のバースト部の画像データより基準ペデスタルレベルを生成し、該画像信号の制御信号重畳部と置換重畳した後、Ｄ／Ａ７ｂでマスク信号が重畳されたアナログ映像信号を変換出力する方法は、本発明の根幹である。
【００３０】
【発明の効果】
本発明は、以上に説明した内容で実施され、以下に述べる効果を奏する。
ペデスタルレベル抽出手段５は、カラー映像信号をデイジタル画像信号に変換し、抽出信号発生手段からの抽出信号に基づいて、制御信号の重畳された水平期間のバーストレベルを抽出し、マスク信号生成手段６は、抽出されたバーストレベルを、演算関数メモリに予め登録記憶された演算関数に基づいて、基準ペデスタルレベルを演算出力した後、該基準ペデスタルレベルのマスク信号を生成出力し、マスク信号重畳手段７は、デイジタル制御信号部を前記マスク信号に切替重畳し、マスク信号が切替重畳されたデイジタル画像信号をアナログ映像信号に変換出力する制御信号マスク方法および制御信号マスク回路の提案ができた。
【図面の簡単な説明】
【図１】  本発明による制御信号マスク方法に用いる監視システムの概略構成図である。
【図２】  本発明による制御信号マスク回路の第１の実施例の要部ブロック図である。
【図３】  本発明による制御信号マスク回路の動作説明用の信号波形図である。
【図４】  本発明による制御信号マスク回路の第２の実施例の要部ブロック図である。
【図５】  従来の技術による制御信号マスク回路の要部ブロック図である。
【符号の説明】
１  カメラ
１ａ  カメラ制御装置
２  カメラ制御・切替装置
２ａ  制御信号重畳手段
２ｂ  カメラ切替部
２ｃ  カメラ操作部
２ｄ  制御信号生成手段
３  制御信号マスク回路
４  同期分離＆ＰＬＬ部
４ａ  同期分離手段
５  ペデスタルレベル抽出手段
５ａ  Ａ／Ｄ
５ｂ  ペデスタル抽出部
５ｄ  バースト信号抽出部
５ｅ  抽出信号発生手段
５ｅ1   ゼロクロス検出部
５ｅ2   検波部
５ｅ3   波形成形部
５ｅ4   抜取パルス生成部
５ｅ5   Ｎ進カウンタ
５ｅ6   Ｎ進設定部
５ｆ    抽出関数メモリ
６  マスク信号生成手段
６ａ  付加ペデスタル演算部
６ｂ  演算関数メモリ
６ｃ  マスクタイミング発生部
７  マスク信号重畳手段
７ａ  マスク信号重畳部
７ｂ  Ｄ／Ａ
８  疑似同期信号発生手段
【図１】
0004487356.tif 000002
【図２】
0004487356.tif 000003
【図３】
0004487356.tif 000004
【図４】
0004487356.tif 000005
【図５】
0004487356.tif 000006